(57)【要約】【課題】一時的に過剰に供給されている電力を積極的に利用させることが可能な冷凍装置のコントローラ等を提供する。【解決手段】ＨＥＭＳ制御部５２は、通常制御、抑制デマンドレスポンス制御、および、促進デマンドレスポンス制御のいずれかをヒートポンプ７に実行させるために、ヒートポンプコントローラ７ｓに指令を送る。ＨＥＭＳ制御部５２は、通常制御を行わせる場合には、設定条件を満足させるようにヒートポンプ７を駆動させて熱負荷の処理を行ように、ヒートポンプコントローラ７ｓに指令を送る。ＨＥＭＳ通信部５１が電力会社１等からの促進通知を受け付けてヒートポンプ７に促進デマンドレスポンス制御を行わせる場合には、ＨＥＭＳ制御部５２は、通常制御よりも単位時間当たりの消費電力量の多い促進デマンドレスポンス制御を行うように、ヒートポンプコントローラ７ｓに指令を送る。【選択図】図１２
2014126236.tif 000002
【特許請求の範囲】
【請求項１】
電力を消費して熱負荷の処理を行う冷凍装置（７）を制御する冷凍装置のコントローラ（５）であって、
電力の消費の促進を意図する促進通知を受け付ける受信部（５１）と、
設定条件を満足させるように前記冷凍装置を駆動させて前記熱負荷の処理を行う第１運転モードと、
前記受信部が前記促進通知を受け付けることに起因して開始され、前記第１運転モードよりも消費電力量の多い運転モードである第２運転モードと、
を前記冷凍装置に実行させる制御部（５２、７ｓ）と、
を備えた冷凍装置のコントローラ（５）。
【請求項２】
前記第２運転モードでは、前記制御部は、前記熱負荷を処理して前記設定条件を満足させるため以外の目的で電力を消費させる、
請求項１に記載の冷凍装置のコントローラ。
【請求項３】
前記第２運転モードでは、前記制御部は、前記熱負荷を処理して前記設定条件を満足させるために消費する電力を増大させる、
請求項１に記載の冷凍装置のコントローラ。
【請求項４】
前記第２運転モードでは、前記制御部は、前記熱負荷を処理して前記設定条件を満足させるため以外の目的で電力を消費させ、かつ、前記熱負荷を処理して前記設定条件を満足させるために消費する電力を増大させる、
請求項１に記載の冷凍装置のコントローラ。
【請求項５】
前記促進通知には、電力の消費の促進を要求する要求期間に関する情報が含まれており、
前記制御部は、前記要求期間の間だけ、前記第２運転モードを前記冷凍装置に実行させ、前記要求期間の経過後は前記第１運転モードを前記冷凍装置に実行させる、
請求項１から４のいずれか１項に記載の冷凍装置のコントローラ。
【請求項６】
前記促進通知は、自然エネルギ発電による発電量が増大したことに由来する通知である、
請求項１から５のいずれか１項に記載の冷凍装置のコントローラ。
【請求項７】
前記冷凍装置は、圧縮機構（２１）、放熱器（２３、２６）、膨張機構（２５）および蒸発器（２６、２３）を有しており一次冷媒が循環する第１回路（２０）と、前記放熱器（２６）もしくは前記蒸発器（２６）の場所および前記熱負荷が生じている場所（７３）を通過するように設けられ二次冷媒が循環する第２回路（７０）と、の両方を含んでいる、
請求項１から６のいずれか１項に記載の冷凍装置のコントローラ。
【請求項８】
前記冷凍装置は、前記圧縮機構と、前記放熱器および／または前記蒸発器として機能する室外熱交換器と、前記膨張機構と、ドレンパンヒータ（２９）と、を内部に収容した筐体（２７）を有しており、
前記筐体の底板は、ドレンパン（２８）を構成しており、
前記ドレンパンヒータは、前記ドレンパンの上に配置されおり、
前記制御部は、前記第２運転モードを前記冷凍装置に実行させる際に、前記ドレンパンヒータへの通電量を増大させて前記ドレンパンヒータを発熱させる、
請求項７に記載の冷凍装置のコントローラ。
【請求項９】
前記冷凍装置は、前記ドレンパンヒータで発熱した熱を蓄える蓄熱体（２９ａ）を有している、
請求項８に記載の冷凍装置のコントローラ。
【請求項１０】
前記冷凍装置は、前記第２回路を通過する二次冷媒を加熱するための二次ヒータ（７１）を有しており、
前記制御部は、前記第２運転モードを前記冷凍装置に実行させる際に、前記第２回路を流れる二次冷媒が前記第１回路の蒸発器において冷却される冷房運転を行っている場合には、前記冷房運転を維持しつつ、前記二次ヒータへの通電量を増大させて前記二次ヒータを発熱させる、
請求項７に記載の冷凍装置のコントローラ。
【請求項１１】
前記圧縮機構は、三相交流によって駆動しており、
前記制御部は、前記第２運転モードを前記冷凍装置に実行させる際に、前記三相交流のうちの一相を欠相させ、他の二相に通電させて発熱させる、
請求項７に記載の冷凍装置のコントローラ。
【請求項１２】
前記冷凍装置は、室外に配置されており放熱器および／または前記蒸発器として機能する室外熱交換器（２３）と、前記室外熱交換器に対して室外の空気を送るための室外ファン（２４）と、を有しており、
前記制御部は、前記第２運転モードを前記冷凍装置に実行させる際に、前記室外ファンへの通電量を増大させて前記室外ファンによる風量を増大させる、
請求項７に記載の冷凍装置のコントローラ。
【請求項１３】
前記冷凍装置は、前記圧縮機構に設けられたクランクケースヒータ（２１ａ）を有しており、
前記制御部は、前記第２運転モードを前記冷凍装置に実行させる際に、前記クランクケースヒータへの通電量を増大させて前記クランクケースヒータを発熱させる、
請求項７に記載の冷凍装置のコントローラ。
【請求項１４】
電力を消費して熱負荷の処理を行う冷凍装置（７）の制御をコントローラ（５、５２）に実行させるプログラム（５４）であって、
前記熱負荷の処理を行って設定条件を満足させる第１運転モードを前記冷凍装置に実行させるステップと、
前記コントローラに設けられた受信部が電力の消費の促進を意図する促進通知を受け付けることに起因して、前記第１運転モードよりも消費電力量の多い運転モードである第２運転モードを前記冷凍装置に実行させ始めるステップと、
を含む処理を前記コントローラ（５、５２）に実行させるプログラム（５４）。
【請求項１５】
請求項１４に記載のプログラムが一時的でなく記録されている記録媒体（１５４）。
【発明の詳細な説明】
【技術分野】
【０００１】
本発明は、冷凍装置のコントローラ、プログラムおよび記録媒体に関する。
【背景技術】
【０００２】
従来から、電力の需給状況に応じて、空気調和機における消費電力を制御する技術が提案されている。
【０００３】
例えば、特許文献１（特開平１０−３０８３４号公報）に記載の空気調和機では、特定の地域で使用電力量が増大した場合に電力会社等から送信される信号（電力の消費量の抑制を図る旨の信号）を受信した場合に、消費電力が低く抑制された運転モードを実行する空気調和機が提案されている。
【発明の概要】
【発明が解決しようとする課題】
【０００４】
上述の特許文献１（特開平１０−３０８３４号公報）に記載の空気調和機では、電力の需要量が増大する等して供給される電力が一時的に不足気味になった場合に、空気調和機の消費電力を低減させることだけが検討されており、供給される電力が一時的に過剰になった場合については全く検討されていない。
【０００５】
一方で、供給される電力が一時的に過剰になった状況下では、一時的に過剰に供給されている電力を積極的に消費して、できるだけ電力を消費してほしいというニーズが存在している。
【０００６】
本発明は上述した事情に鑑みてなされたものであり、本発明の目的は、一時的に過剰に供給されている電力を積極的に利用させることが可能な冷凍装置のコントローラ、プログラムおよび記録媒体を提供することにある。
【課題を解決するための手段】
【０００７】
第１観点に係る冷凍装置のコントローラは、電力を消費して熱負荷の処理を行う冷凍装置を制御する冷凍装置のコントローラであって、受付部および制御部を備えている。受付部は、電力の消費の促進を意図する促進通知を受け付ける。制御部は、第１運転モードと第２運転モードを冷凍装置に実行させる。第１運転モードでは、制御部は、設定条件を満足させるように冷凍装置を駆動させて熱負荷の処理を行う。第２運転モードは、受信部が促進通知を受け付けることに起因して制御部によって開始され、制御部は、第１運転モードよりも消費電力量の多い運転モードを冷凍装置に実行させる。
【０００８】
ここで、「電力の消費の促進を意図する促進通知」には、単に、電力の消費を促すことを示す指令だけでなく、電力の単価を下げる指令や、使用電力量の上限を上げさせる指令等のように促進の意図を間接的に示すものも含まれる。
【０００９】
この冷凍装置のコントローラでは、電力の消費の促進を意図する促進通知を受信部が受け付けた際に、制御部は、第１運転モードよりも消費電力量の多い運転モードである第２運転モードを冷凍装置に実行させ、消費電力量を自動的に増大させることが可能になる。
【００１０】
したがって、一時的に過剰に供給されている電力を、冷凍装置において積極的に利用させることが可能になる。
【００１１】
第２観点に係る冷凍装置のコントローラは、第１観点に係る冷凍装置のコントローラであって、第２運転モードでは、制御部は、熱負荷を処理して設定条件を満足させるため以外の目的で電力を消費させる。
【００１２】
この冷凍装置のコントローラでは、一時的に過剰に供給されている電力を、熱負荷処理以外の目的で冷凍装置において積極的に利用させることが可能になる。
【００１３】
第３観点に係る冷凍装置のコントローラは、第１観点に係る冷凍装置のコントローラであって、第２運転モードでは、制御部は、熱負荷を処理して設定条件を満足させるために消費する電力を増大させる。
【００１４】
この冷凍装置のコントローラでは、一時的に過剰に供給されている電力を、熱負荷処理の目的で冷凍装置において積極的に利用させることが可能になる。
【００１５】
第４観点に係る冷凍装置のコントローラは、第１観点に係る冷凍装置のコントローラであって、第２運転モードでは、制御部は、熱負荷を処理して設定条件を満足させるため以外の目的で電力を消費させ、かつ、熱負荷を処理して設定条件を満足させるために消費する電力を増大させる。
【００１６】
この冷凍装置のコントローラでは、一時的に過剰に供給されている電力を、熱負荷処理の目的と熱負荷処理以外の目的の両方で冷凍装置において積極的に利用させることが可能になる。
【００１７】
第５観点に係る冷凍装置のコントローラは、第１観点から第４観点のいずれかに係る冷凍装置のコントローラであって、促進通知には、電力の消費の促進を要求する要求期間に関する情報が含まれている。制御部は、要求期間の間だけ、第２運転モードを冷凍装置に実行させ、要求期間の経過後は第１運転モードを冷凍装置に実行させる。
【００１８】
この冷凍装置のコントローラでは、制御部は、電力の消費の促進を意図する促進通知を受信部が受け付けることで、消費電力量が第１運転モードよりも多い第２運転モードを冷凍装置に実行させ始める。そして、制御部は、要求期間が経過した際に、その消費電力量の多い第２運転モードを終了させ、第１運転モードを開始させる。これにより、促進通知において要求されている要求期間の間だけ消費電力量を高める制御を自動的に行うことが可能になる。
【００１９】
第６観点に係る冷凍装置のコントローラは、第１観点から第５観点のいずれかに係る冷凍装置のコントローラであって、促進通知は、自然エネルギ発電による発電量が増大したことに由来する通知である。
【００２０】
この自然エネルギ発電による発電としては、例えば、太陽光発電および／または風力発電等が含まれる。これらの自然エネルギ発電では、自然の環境変化によって発電量が変化し、人為的な発電量のコントロールが難しいため、電力の需要家側に供給される電力が不安定になることがあり、電力が供給不足になることだけでなく、電力が供給過剰になる場合がある。
【００２１】
これに対して、この冷凍装置のコントローラでは、自然エネルギ発電による発電量が増大したことに由来する促進通知を受信部が受信することで、制御部が、第１運転モードよりも消費電力量の多い運転モードである第２運転モードを冷凍装置に実行させ、消費電力量を自動的に増大させている。
【００２２】
したがって、自然エネルギ発電による発電量が一時的に増大し、電力が過剰に供給されることになった場合であっても、冷凍装置において当該過剰な電力を積極的に利用させることが可能になる。
【００２３】
第７観点に係る冷凍装置のコントローラは、第１観点から第６観点のいずれかに係る冷凍装置のコントローラであって、冷凍装置は、第１回路および第２回路の両方を含んでいる。第１回路は、圧縮機構、放熱器、膨張機構および蒸発器を有しており、一次冷媒が循環する。第２回路は、放熱器もしくは蒸発器の場所および熱負荷が生じている場所を通過するように設けられ、二次冷媒が循環する。
【００２４】
この冷凍装置のコントローラでは、一次冷媒が循環する第１回路だけでなく二次冷媒が循環する第２回路に含まれている制御対象の要素についても、消費電力量を増大させる制御対象に含めることが可能になる。
【００２５】
第８観点に係る冷凍装置のコントローラは、第７観点に係る冷凍装置のコントローラであって、冷凍装置は、圧縮機構と、放熱器および／または蒸発器として機能する室外熱交換器と、膨張機構と、ドレンパンヒータと、を内部に収容した筐体を有している。筐体の底板は、ドレンパンを構成している。ドレンパンヒータは、ドレンパンの上に配置されている。制御部は、第２運転モードを冷凍装置に実行させる際に、ドレンパンヒータへの通電量を増大させてドレンパンヒータを発熱させる。
【００２６】
なお、ここでの制御部による制御には、受信部が促進通知を受け付けた時点でドレンパンヒータに通電が行われていない場合には、ドレンパンヒータへの通電を開始させることが含まれる。受信部が促進通知を受け付けた時点で既にドレンパンヒータに通電が行われている場合には、ドレンパンヒータへの通電量をさらに増大させることが含まれる。
【００２７】
この冷凍装置のコントローラでは、受信部が促進通知を受け付けた際に、制御部が、ドレンパンヒータへの通電量を増大させることで、一時的に過剰に供給されている電力を積極的に利用させ、ドレンパンにおける着霜を抑制することが可能になる。しかも、ドレンパンヒータへの通電量が増大して、ドレンパンヒータからの発熱量が増大したとしても、ドレンパンヒータが配置されている筐体の底板付近に存在する周囲の空気に対して放熱されるため、ドレンパンが過度に加熱されにくい。さらに、ドレンパンヒータは第１回路の一部を構成するものではなく、ドレンパンヒータから発熱した熱が第１回路を流れる一次冷媒の状態に与える影響が小さいため、運転状態が悪化することが抑制される。このため、ドレンパンの過度な加熱および運転状態の悪化を防止しつつ、消費電力量を増大させることが可能になる。
【００２８】
第９観点に係る冷凍装置のコントローラは、第８観点に係る冷凍装置のコントローラであって、冷凍装置は、ドレンパンヒータで発熱した熱を蓄える蓄熱体を有している。
【００２９】
この冷凍装置のコントローラでは、ドレンパンヒータで発熱した熱を蓄える蓄熱体を有しているため、ドレンパンヒータを発熱させたことでドレンパンにおける除霜を行った後であっても、ドレンパンヒータで発熱した熱を廃熱することなく蓄熱体に蓄えることができる。そして、制御部による第２運転モードが終了した後であっても、第２運転モード実行時にドレンパンヒータから発熱された熱を蓄熱体において保持し続けることができる。これにより、第２運転モードが終了した後であっても、蓄熱体に熱が保持されているしばらくの間は、ドレンパンにおける着霜を抑制することができる。
【００３０】
第１０観点に係る冷凍装置のコントローラは、第７観点に係る冷凍装置のコントローラであって、冷凍装置は、第２回路を通過する二次冷媒を加熱するための二次ヒータを有している。制御部は、第２運転モードを冷凍装置に実行させる際に、第２回路を流れる二次冷媒が第１回路の蒸発器において冷却される冷房運転を行っている場合には、冷房運転を維持しつつ、二次ヒータへの通電量を増大させて二次ヒータを発熱させる。
【００３１】
この冷凍装置のコントローラでは、制御部は、第２運転モードを行う際に、第１回路において冷房運転を行わせつつ、蒸発器において冷却された二次冷媒が流れる第２回路において二次ヒータを発熱させる。これにより、第１回路の蒸発器で生じさせた冷熱熱を、第２回路の二次ヒータにおいて相殺させることによって、過度な冷却を抑制して室内環境の悪化を防止しつつ、一時的に消費電力量を増大させることが可能になる。
【００３２】
第１１観点に係る冷凍装置のコントローラは、第７観点に係る冷凍装置のコントローラであって、圧縮機構は、三相交流によって駆動している。制御部は、第２運転モードを冷凍装置に実行させる際に、三相交流のうちの一相を欠相させ、他の二相に通電させて発熱させる。
【００３３】
この冷凍装置のコントローラでは、制御部は、第２運転モードを行う際に、圧縮機構の駆動方式を第１運転モードの場合とは変えて、三相交流のうちの一相を欠相させて、他の二相に通電させ、電気を流す部分をヒータとして利用することができる。これにより、圧縮機構の駆動方式を第１運転モードの場合とは変えて、一時的に消費電力量を増大させることが可能になる。
【００３４】
第１２観点に係る冷凍装置のコントローラは、第７観点に係る冷凍装置のコントローラであって、冷凍装置は、室外に配置されており放熱器および／または蒸発器として機能する室外熱交換器と、室外熱交換器に対して室外の空気を送るための室外ファンと、を有している。制御部は、第２運転モードを冷凍装置に実行させる際に、室外ファンへの通電量を増大させて室外ファンによる風量を増大させる。
【００３５】
なお、ここでの制御部による制御には、受信部が促進通知を受け付けた時点で室外ファンが駆動していない場合には、室外ファンへの通電を開始させて室外ファンを駆動させることが含まれる。受信部が促進通知を受け付けた時点で既に室外ファンが駆動している場合には、室外ファンへの通電量をさらに増大させて室外ファンによる風量を増大させることが含まれる。
【００３６】
この冷凍装置のコントローラでは、制御部は、第２運転モードを行う際に、室外ファンへの通電量を増大させて、室外ファンによる風量を増大させている。ここで、第１回路において冷媒が循環していない状況であれば、室外ファンが駆動されたとしても、第１回路における冷媒の状態に特に変化を生じさせず、空調対象空間等の対象空間の環境を悪化させることなく一時的に消費電力量を増大させることが可能になる。また、第１回路において冷媒が循環している状況において室外ファンの風量が増大されたとしても、空調対象空間へ直接的に吹き出す空気流れの風量が増大することにはならないため、空調対象空間等の対象空間の環境を悪化させることなく一時的に消費電力量を増大させることが可能になる。
【００３７】
第１３観点に係る冷凍装置のコントローラは、第７観点に係る冷凍装置のコントローラであって、冷凍装置は、圧縮機構に設けられたクランクケースヒータを有している。制御部は、第２運転モードを冷凍装置に実行させる際に、クランクケースヒータへの通電量を増大させてクランクケースヒータを発熱させる。
【００３８】
なお、ここでの制御部による制御には、受信部が促進通知を受け付けた時点でクランクケースヒータへの通電が行われていない場合には、クランクケースヒータへの通電を開始させることが含まれる。受信部が促進通知を受け付けた時点で既にクランクケースヒータへの通電が行われている場合には、クランクケースヒータへの通電量をさらに増大させることが含まれる。
【００３９】
この冷凍装置のコントローラでは、受信部が促進通知を受け付けた際に、制御部が、クランクケースヒータへの通電量を増大させることで、一時的に過剰に供給されている電力を積極的に利用させ、冷凍機油の冷媒への溶け込みを小さく抑制することが可能になる。これにより、冷凍機油の冷媒への溶け込みを小さく抑制しつつ、消費電力量を増大させることが可能になる。
【００４０】
第１４観点に係るプログラムは、電力を消費して熱負荷の処理を行う冷凍装置の制御をコントローラに実行させるプログラムである。このプログラムは、熱負荷の処理を行って設定条件を満足させる第１運転モードを冷凍装置に実行させるステップを有している。また、このプログラムは、コントローラに設けられた受信部が電力の消費の促進を意図する促進通知を受け付けることに起因して、第１運転モードよりも消費電力量の多い運転モードである第２運転モードを冷凍装置に実行させ始めるステップを有している。
【００４１】
ここで、「電力の消費の促進を意図する促進通知」には、単に、電力の消費を促すことを示す指令だけでなく、電力の単価を下げる指令や、使用電力量の上限を上げさせる指令等のように促進の意図を間接的に示すものも含まれる。
【００４２】
このプログラムが管理装置によって実行されることで、電力の消費の促進を意図する促進通知を受信部が受け付けた際に、第１運転モードよりも消費電力量の多い運転モードである第２運転モードを冷凍装置に実行させ、消費電力量を自動的に増大させることが可能になる。
【００４３】
したがって、一時的に過剰に供給されている電力を、冷凍装置において積極的に利用させることが可能になる。
【００４４】
第１５観点に係る記録媒体は、第１４観点に係るプログラムが一時的でなく記録されている。
【００４５】
この記録媒体では、否一時的に格納されているプログラムを管理装置に実行させることで、第１４観点に係るプログラムと同様の効果を得ることができる。
【発明の効果】
【００４６】
第１観点に係る冷凍装置のコントローラでは、一時的に過剰に供給されている電力を、冷凍装置において積極的に利用させることが可能になる。
【００４７】
第２観点に係る冷凍装置のコントローラでは、一時的に過剰に供給されている電力を、熱負荷の処理以外の目的で冷凍装置において積極的に利用させることが可能になる。
【００４８】
第３観点に係る冷凍装置のコントローラでは、一時的に過剰に供給されている電力を、熱負荷の処理の目的で冷凍装置において積極的に利用させることが可能になる。
【００４９】
第４観点に係る冷凍装置のコントローラでは、一時的に過剰に供給されている電力を、熱負荷処理の目的と熱負荷処理以外の目的の両方で冷凍装置において積極的に利用させることが可能になる。
【００５０】
第５観点に係る冷凍装置のコントローラでは、促進通知において要求されている要求期間の間だけ消費電力量を高める制御を自動的に行うことが可能になる。
【００５１】
第６観点に係る冷凍装置のコントローラでは、自然エネルギ発電による発電量が一時的に増大し、電力が過剰に供給されることになった場合であっても、冷凍装置において当該過剰な電力を積極的に利用させることが可能になる。
【００５２】
第７観点に係る冷凍装置のコントローラでは、一次冷媒が循環する第１回路だけでなく二次冷媒が循環する第２回路に含まれている制御対象の要素についても、消費電力量を増大させる制御対象に含めることが可能になる。
【００５３】
第８観点に係る冷凍装置のコントローラでは、ドレンパンの過度な加熱および運転状態の悪化を防止しつつ、消費電力量を増大させることが可能になる。
【００５４】
第９観点に係る冷凍装置のコントローラでは、第２運転モードが終了した後であっても、蓄熱体に熱が保持されているしばらくの間は、ドレンパンにおける着霜を抑制することができる。
【００５５】
第１０観点に係る冷凍装置のコントローラでは、第１回路の蒸発器で生じさせた冷熱熱を、第２回路の二次ヒータにおいて相殺させることによって、過度な冷却を抑制して室内環境の悪化を防止しつつ、一時的に消費電力量を増大させることが可能になる。
【００５６】
第１１観点に係る冷凍装置のコントローラでは、圧縮機構の駆動方式を第１運転モードの場合とは変えて、一時的に消費電力量を増大させることが可能になる。
【００５７】
第１２観点に係る冷凍装置のコントローラでは、空調対象空間等の対象空間の環境を悪化させることなく一時的に消費電力量を増大させることが可能になる。
【００５８】
第１３観点に係る冷凍装置のコントローラでは、冷凍機油の冷媒への溶け込みを小さく抑制しつつ、消費電力量を増大させることが可能になる。
【００５９】
第１４観点に係るプログラム、第１５観点に係る記録媒体では、一時的に過剰に供給されている電力を、冷凍装置において積極的に利用させることが可能になる。
【図面の簡単な説明】
【００６０】
【図１】一実施形態に係る集中管理システムを備えたエネルギ管理システムのブロック概略構成図である。
【図２】アグリゲータの詳細構成を示した集中管理システムのブロック概略構成図である。
【図３】需要家が備える要素を示したブロック構成図である。
【図４】ヒートポンプのシステム構成図である。
【図５】室外ユニットの外観概略図である。
【図６】室外ユニットの底面を構成するドレンパン上に配置されたドレンパンヒータの概略図である。
【図７】ヒートポンプによる冷房運転の状態を示す概略図である。
【図８】ヒートポンプによる通常暖房運転の状態を示す概略図である。
【図９】ヒートポンプによる低外気時暖房運転の状態を示す概略図である。
【図１０】ヒートポンプによる通常給湯運転の状態を示す概略図である。
【図１１】ヒートポンプによる貯湯温度が低温である時の暖房給湯同時運転の状態を示す概略図である。
【図１２】消費電力量の調整要求に対する制御処理のフローチャートである。
【図１３】変形例（Ａ）に係るＨＥＭＳプログラムが一時的でなく記録された記録媒体を示す図である。
【発明を実施するための形態】
【００６１】
一実施形態に係るＨＥＭＳコントローラ５がエネルギ管理システム１００において用いられている場合を例に挙げて、以下、図面を参照しながら説明する。
【００６２】
（１）エネルギ管理システム
エネルギ管理システム１００は、電力会社１と、集中管理システム１０と、を備えている。
【００６３】
電力会社１は、特に限定されない発電手法によって発電を行っている。発電手法としては、例えば、太陽光発電や風力発電等の自然発電であってもよい。このような自然発電によって得られる電力は、太陽光が十分に得られる状態と雲等によって太陽光が遮られる状態との間で自然現象的に発電効率が変化したり、風の強い状態と弱い状態との間で自然現象的に発電効率が変化したりすることがあるため、安定的な電力の供給を見込みにくいものではあるが、発電に伴う二酸化炭素の排出量が低い点で好ましい。
【００６４】
なお、この電力会社１は、夏期の昼の時間帯等のように電力消費量が増大し電力供給量が不足した状況になるか、もしくは、太陽光による発電量が増大したり風量が増大して風力発電の発電量が増大した場合等に一時的に電力供給量が過剰な状況になると、集中管理システム１０に対して、消費電力量の調整要求の信号を送る。この消費電力量の調整要求には、例えば、消費電力量を小さく抑えるように要求する信号（電力消費抑制信号）だけでなく、消費電力量を大きくするように要求する信号（電力消費促進信号）も含まれる。この消費電力量の調整要求には、電力消費の抑制が求められる抑制期間情報もしくは電力消費の促進が求められる促進期間情報が含まれている。なお、消費電力量の調整要求には、電力消費の抑制程度を示す情報もしくは電力消費の促進程度を示す情報が含まれていてもよい。
【００６５】
なお、電力会社１で発電された電力は、送配電業者によって設けられた伝送線等を介して、電力の消費を行う設備まで供給されている。
【００６６】
集中管理システム１０は、通信ネットワーク２を介して、電力会社１と通信可能に接続されている。集中管理システム１０は、電力会社１からの消費電力量の調整要求の信号を受信し、管理対象とされている複数の需要家それぞれから予め受信している予定情報に基づいて、当該消費電力量の調整要求に応じる程度等を定める処理を行う。なお、通信ネットワーク２の種類は、特に限定されるものではなく、例えば、インターネット等を挙げることができる。以下、集中管理システム１０について、具体的に説明する。
【００６７】
（２）集中管理システム
集中管理システム１０は、アグリゲータ３と、複数の需要家（需要家Ａ、Ｂ、Ｃ・・・）に属する装置と、を有して構成されている。
【００６８】
図２に、アグリゲータの詳細構成を示した集中管理システム１０のブロック概略構成図を示す。
【００６９】
（２−１）アグリゲータ
アグリゲータ３は、各需要家が消費する電力量の管理や、消費電力量の調整要求の処理に関する管理等を行う装置であって、図２に示すように、アグリゲータ通信部３１と、アグリゲータ制御部３２と、アグリゲータ記憶部３３と、を有している。
【００７０】
アグリゲータ通信部３１は、通信ネットワーク２を介して、電力会社１との間、および、各需要家に属する装置（ゲートウェイ４等）との間での通信が可能となるように接続されている。このアグリゲータ通信部３１によって、アグリゲータ３は、電力会社１から発信される消費電力量の調整要求の信号を受信する。
【００７１】
アグリゲータ記憶部３３には、各需要家から送信されてきた、受け入れ可否情報３３ａが格納される。この受け入れ可否情報３３ａは、本実施形態においては、各需要家から通信ネットワーク２を介して送信されてきたデータであって、アグリゲータ通信部３１が受信し、アグリゲータ制御部３２によってアグリゲータ記憶部３３に格納させる処理が行われることで、アグリゲータ記憶部３３に格納されることとなっているデータである。この受け入れ可否情報３３ａは、具体的には、消費電力量の調整要求が当該予定の日時に生じた場合に応じるか否かの予定を示した情報であり、消費電力量の調整要請のうち電力消費抑制信号による要求を受け入れる期間（図２に示す「電力消費抑制の受入期間」）と、消費電力量の調整要請のうち電力消費促進信号による要求を受け入れる期間（図２に示す「電力消費促進の受入期間」）と、の２つの期間の情報を含んでいる。
【００７２】
（２−２）各需要家（需要家Ａ、Ｂ、Ｃ・・・）
図３に、需要家が備える要素を示したブロック構成図を示す。
【００７３】
なお、実施形態の説明では、「需要家」の文言は、需要家に属している通信装置や情報処理装置を含めた概念として用いている場合がある。
【００７４】
複数の需要家（需要家Ａ、Ｂ、Ｃ・・・）は、いずれも、通信ネットワーク２を介して、アグリゲータ３と通信可能に接続されている。
【００７５】
各需要家が備えている通信装置や情報処理装置は、同様であるため、複数の需要家Ａ、Ｂ、Ｃ・・・のうち、ここでは、需要家Ａに属する装置を例に挙げて説明する。
【００７６】
図１および図３に示すように、需要家Ａには、ゲートウェイ４、ＨＥＭＳコントローラ５、スマートメータ６、ヒートポンプ７、および、電化製品８等が属している。
【００７７】
（２−２−１）ゲートウェイ
ゲートウェイ４は、ゲートウェイ通信部４１と、変換部４２と、を有している。ゲートウェイ通信部４１は、通信ネットワーク２を介して、アグリゲータ３のアグリゲータ通信部３１と通信可能となるように接続されている。また、ゲートウェイ通信部４１は、ＨＥＭＳコントローラ５との間で情報の送受信が可能となるように、スマートメータ６の計測値を受信できるように、それぞれ接続されている。変換部４２は、通信ネットワーク２を介してゲートウェイ通信部４１が受信した情報を、ＨＥＭＳコントローラ５によって処理可能な形式の情報に変換する。また、変換部４２は、ＨＥＭＳコントローラ５からゲートウェイ通信部４１が受信した情報を、通信ネットワーク２を介して送信可能な情報もしくはアグリゲータ通信部３１と通信可能な形式の情報に変換する。
【００７８】
なお、ゲートウェイ４は、電力消費機器における消費電力量の計測データ（例えば、当該月の合計消費電力量）をスマートメータ６から受信し、通信ネットワーク２を介して、アグリゲータ３に送信する。
【００７９】
なお、ゲートウェイ通信部４１は、電力会社１からの消費電力量の調整要求を、通信ネットワーク２とアグリゲータ３を介して受信してもよいし、通信ネットワーク２を介して電力会社１から直接受信してもよい。
【００８０】
（２−２−２）スマートメータ
スマートメータ６は、後述する、各電力消費機器における消費電力量を計測し、得られたデータ（例えば、当該月の合計消費電力量）をゲートウェイ４に送信する。
【００８１】
（２−２−３）ＨＥＭＳコントローラ
ＨＥＭＳコントローラ５は、上位のアグリゲータ３等から送信されてきた情報や各機器のセンサ情報等に基づいて、各設備機器に対して制御に関する指令を送る、Home Energy Management Systemのコントローラである。ＨＥＭＳコントローラ５は、ＨＥＭＳ通信部５１と、ＨＥＭＳ制御部５２と、ＨＥＭＳ記憶部５３と、ＨＥＭＳプログラム５４、ＨＥＭＳ入力部５５、ＨＥＭＳ出力部５６等を有している。
【００８２】
ＨＥＭＳ通信部５１は、ゲートウェイ４と通信可能に接続されている。また、ＨＥＭＳ通信部５１は、電化製品８やヒートポンプ７等の設備機器との間で通信可能に接続されている。
【００８３】
なお、ＨＥＭＳ入力部５５では、消費電力量の調整要請のうち電力消費抑制信号による要求を受け入れる期間と、消費電力量の調整要請のうち電力消費促進信号による要求を受け入れる期間と、の２つの期間を示す情報を含む受け入れ可否情報３３ａを、需要家Ａから受け付ける。また、ＨＥＭＳ入力部５５は、需要家Ａから、ヒートポンプ７や電化製品８等の設備機器の設定条件データを受け付ける。例えば、ヒートポンプ７の設定条件データとしては、室内設定温度や室内ファン７４の風量や給湯温度等が含まれる。なお、このＨＥＭＳ入力部５５を介して需要家から受け付けた受け入れ可否情報３３ａおよび設定条件データは、ＨＥＭＳ制御部５２によってＨＥＭＳ記憶部５３に記録させる処理が行われる。
【００８４】
ＨＥＭＳ記憶部５３は、ＨＥＭＳ入力部５５を介して需要家Ａから受け付けた当該需要家Ａ自身の受け入れ可否情報３３ａ等の情報が格納されている。この受け入れ可否情報３３ａには、消費電力量の調整要請のうち電力消費抑制信号による要求を受け入れる期間と、消費電力量の調整要請のうち電力消費促進信号による要求を受け入れる期間と、の２つの期間の情報が含まれている。
【００８５】
なお、ＨＥＭＳ制御部５２は、ＨＥＭＳ入力部５５を介して需要家から受け付けた受け入れ可否情報３３ａを、所定期間間隔で、アグリゲータ３に対して送信する。
【００８６】
このＨＥＭＳ制御部５２は、ＲＯＭ等に格納されているＨＥＭＳプログラム５４を実行し、上位のアグリゲータ３等から消費電力量の調整要求が送信されてきているか否かを判断し、送信されてきていないと判断された場合には、通常制御を行う旨の指令を、ＨＥＭＳ通信部５１を介して電化製品８やヒートポンプ７等の設備機器に送信し、ヒートポンプコントローラ７ｓや電化製品コントローラ８ｓに通常制御を実行させる。通常制御は、特に限定されないが、ユーザ（需要家Ａ）の希望する設定条件データをできるだけ迅速に実現できるような電化製品８やヒートポンプ７の制御が含まれる。
【００８７】
また、ＨＥＭＳ制御部５２は、ＨＥＭＳプログラム５４を実行し、上位のアグリゲータ３等から消費電力量の調整要求が送信されているか否か判断する。ＨＥＭＳ制御部５２は、消費電力量の調整要求が送信されてきていると判断した場合には、当該消費電力量の調整要求が電力消費抑制信号と電力消費促進信号とのいずれであるのかを判断する。ここで、ＨＥＭＳ制御部５２は、当該消費電力量の調整要求が電力消費抑制信号である場合には、当該消費電力量の調整要求に含まれている当該消費電力量の調整を行う期間を示す抑制期間情報を把握し、当該消費電力量の調整要求が電力消費促進信号である場合には、当該消費電力量の調整要求に含まれている当該消費電力量の調整を行う期間を示す促進期間情報を把握する。次に、ＨＥＭＳ制御部５２は、ＨＥＭＳ記憶部５３に格納されている需要家Ａ自身の受け入れ可否情報３３ａの情報に基づいて、当該抑制期間情報もしくは促進期間情報が示す期間が、受け入れ可否情報３３ａにおいて消費電力量の調整要請を受け入れる期間として記録されているか否かを判断する。ここで、抑制期間情報もしくは促進期間情報が示す期間が受け入れ可否情報３３ａにおいて消費電力量の調整要請を受け入れる期間として記録されていなかった場合には、ＨＥＭＳ制御部５２は、デマンドレスポンス制御を行うことなく（抑制デマンドレスポンス制御および促進デマンドレスポンス制御のいずれも行うことなく）、通常制御を行う旨の指令を、ＨＥＭＳ通信部５１を介して電化製品８やヒートポンプ７等の設備機器に送信し、ヒートポンプコントローラ７ｓや電化製品コントローラ８ｓに通常制御を実行させる。他方、抑制期間情報が示す期間（抑制期間）が受け入れ可否情報３３ａにおいて消費電力量の調整要請のうち電力消費抑制信号による要求を受け入れる期間として記録されていた場合には、ＨＥＭＳ制御部５２は、抑制デマンドレスポンス制御を行う旨の指令を、ＨＥＭＳ通信部５１を介して電化製品８やヒートポンプ７等の設備機器に送信し、ヒートポンプコントローラ７ｓや電化製品コントローラ８ｓに抑制デマンドレスポンス制御を実行させる。なお、促進期間情報が示す期間（促進期間）が受け入れ可否情報３３ａにおいて消費電力量の調整要請のうち電力消費促進信号による要求を受け入れる期間として記録されていた場合には、ＨＥＭＳ制御部５２は、促進デマンドレスポンス制御を行う旨の指令を、ＨＥＭＳ通信部５１を介して電化製品８やヒートポンプ７等の設備機器に送信し、ヒートポンプコントローラ７ｓや電化製品コントローラ８ｓに促進デマンドレスポンス制御を実行させる。
【００８８】
上記抑制デマンドレスポンス制御は、特に限定されないが、通常制御を行う場合よりも単位時間当たりの消費電力量が小さくなるように予め定められた制御方法で、ユーザ（需要家Ａ）の希望する設定条件データを参照しながら、抑制期間情報が示している期間の間、電化製品８やヒートポンプ７等が制御される。この通常制御を行う場合よりも単位時間当たりの消費電力量が小さくなる制御としては、特に限定されないが、例えば、ヒートポンプ７の制御を行う場合には、設定条件データ等として設定されている設定温度に達するまでの時間が長めになるように各構成機器の出力を下げることや、一部の構成機器の稼動を停止させる制御等が含まれる。
【００８９】
上記促進デマンドレスポンス制御は、特に限定されないが、通常制御を行う場合よりも単位時間当たりの消費電力量が大きくなるように予め定められた制御方法で、ユーザ（需要家Ａ）の希望する設定条件データを参照しながら、促進期間情報が示している期間の間、電化製品８やヒートポンプ７等が制御される。この通常制御を行う場合よりも単位時間当たりの消費電力量が大きくなる制御としては、特に限定されないが、例えば、ヒートポンプ７の制御を行う場合には、設定条件データ等として設定されている設定温度に達するまでの時間が短めになるように各構成機器の出力を下げることや、駆動していない構成機器の一部の稼動を開始させたり、駆動中であればその出力を増大させる制御等が含まれる。
【００９０】
また、ＨＥＭＳ制御部５２は、求められた電気料金の値等をＨＥＭＳ出力部５６に表示出力する。このＨＥＭＳ出力部５６は、液晶表示部によって構成されている。
【００９１】
（２−２−４）電化製品
電化製品８は、電化製品８の制御を行う電化製品コントローラ８ｓを有している。電化製品コントローラ８ｓは、ＨＥＭＳコントローラ５と接続されており、ＨＥＭＳコントローラ５からの指令に基づいて、通常制御とデマンドレスポンス制御（抑制デマンドレスポンス制御または促進デマンドレスポンス制御）のいずれかを実行して電化製品８の制御を行う。
【００９２】
ここでの電化製品８は、ヒートポンプ７以外の電力を消費して駆動するものを意味しており、冷蔵庫、照明器具等が含まれる。
【００９３】
（２−２−５）ヒートポンプ
ヒートポンプ７は、ヒートポンプ７の制御を行うヒートポンプコントローラ７ｓを有している。ヒートポンプコントローラ７ｓは、ＨＥＭＳコントローラ５と接続されている。
【００９４】
また、ヒートポンプコントローラ７ｓは、後述する圧縮機２１、四路切換弁２２、室外ファン２４、膨張弁２５、水回路補助ヒータ７１、水回路ポンプ７２、室内ファン７４、床暖房流量調節弁７５、給湯流量調節弁７７、給湯補助ヒータ７９、給湯用ポンプ８４、混合弁８６を制御可能となるように接続されており、センサ８９の検出値を取得できるように接続されている。
【００９５】
また、図示しないが、ヒートポンプコントローラ７ｓは、ヒートポンプ設定受付部を有している。需要家は、このヒートポンプ設定受付部を介して、設定温度や床暖房の温度や給湯温度等の設定条件を入力することができる。
【００９６】
さらに、ヒートポンプコントローラ７ｓは、図示しないヒートポンプ記憶部を有している。このヒートポンプ記憶部には、ヒートポンプ設定受付部を介して入力を受け付けたデータが、設定条件データとして格納されている。
【００９７】
ヒートポンプコントローラ７ｓは、上述のようにヒートポンプ記憶部に格納されている設定条件データと、センサ８９を介して取得されるデータと、ＨＥＭＳコントローラ５からの通常制御の指令もしくはデマンドレスポンス制御の指令（抑制デマンドレスポンス制御の指令または促進デマンドレスポンス制御の指令）と、の３つの情報に基づいて、ヒートポンプ７の制御を行う。
【００９８】
以下、ヒートポンプ７の具体的な構成を説明する。
【００９９】
（３）ヒートポンプの構成
図４に、ヒートポンプ７のシステム構成図を示す。
【０１００】
ヒートポンプ７は、ヒートポンプ部７ａと、水循環部７ｂと、室内空調部７ｃと、床暖房部７ｄと、給湯部７ｅ等を有して構成されている。
【０１０１】
ヒートポンプ部７ａは、水循環部７ｂに設けられている水熱交換器２６を流れる水を加熱もしくは冷却するための装置であり、圧縮機２１、四路切換弁２２、室外熱交換器２３、室外ファン２４、膨張弁２５を有している。これらの、圧縮機２１、四路切換弁２２、室外熱交換器２３、室外ファン２４、および、膨張弁２５と、水循環部７ｂに設けられている水熱交換器２６と、は、互いに冷媒配管で接続されることによって、内部を冷媒が循環する冷媒回路２０を構成している。
【０１０２】
なお、冷媒回路２０のうちの圧縮機２１、四路切換弁２２、室外熱交換器２３および膨張弁２５と、室外ファン２４とは、図５に示すように、室外ユニットケーシング２７の内部に収容されている。
【０１０３】
室外ユニットケーシング２７の底面は、図６に示すように、ドレンパン２８を構成している。室外ユニットケーシング２７の内部であって、このドレンパン２８の上方の空間には、室外熱交換器２３および室外ファン２４が配置されている。そして、ドレンパン２８の上には、室外熱交換器２３から落下してきた結露水がドレンパン２８上で凍結しないように、通電されることで発熱するドレンパンヒータ２９が配置されている。このドレンパンヒータ２９に通電してドレンパン２８を暖めることにより、室外熱交換器２３の下方や室外ファン２４の下方の霜を取り除くことができる。なお、室外ユニットケーシング２７の内部には、ドレンパンヒータ２９の一部に接触するようにして蓄熱体２９ａが配置されている。これにより、ドレンパンヒータ２９で生じた熱を蓄熱することができ、ドレンパンヒータ２９への通電を停止した後であってもしばらくの間ドレンパン２８を暖め続けることができる。
【０１０４】
圧縮機２１には、冷凍機油が冷媒に溶け込んでしまうことを抑制するために、通電されることで発熱するクランクケースヒータ２１ａが取り付けられている。このクランクケースヒータ２１ａに通電することで、圧縮機２１を暖めることができ、冷凍機油の冷媒への寝込みを抑制することができる。
【０１０５】
冷媒回路２０は、四路切換弁２２の接続状態を切り換えることによって、冷房運転接続状態と、暖房運転接続状態と、に切り換えられる。冷房運転接続状態では、室外熱交換器２３が冷媒の放熱器として機能し、水熱交換器２６が冷媒の蒸発器として機能するように、四路切換弁２２の接続状態が切り換えられる。暖房運転接続状態では、室外熱交換器２３が冷媒の蒸発器として機能し、水熱交換器２６が冷媒の放熱器として機能するように、四路切換弁２２の接続状態が切り換えられる。
【０１０６】
水熱交換器２６では、冷媒回路２０内を循環する冷媒と、水回路７０内を循環する水との間で、互いに混ざり合うことなく熱交換が行われている。
【０１０７】
水循環部７ｂは、上記水熱交換器２６と、水回路補助ヒータ７１と、水回路ポンプ７２と、がこの順に並んで直列に接続されている。水回路補助ヒータ７１は、水熱交換器２６の下流側に配置されており、駆動される場合には、内部を通過する水を加熱する。水回路ポンプ７２は、水回路補助ヒータ７１の下流側に配置されており、水回路７０内において水を循環させるように水の搬送を行う。なお、水回路ポンプ７２は、流量を調節することが可能な構成となっている。
【０１０８】
室内空調部７ｃと、床暖房部７ｄと、給湯部７ｅは、水回路７０のうち、水熱交換器２６の上流側と水回路ポンプ７２の下流側との間で互いに並列に接続するように設けられている。
【０１０９】
室内空調部７ｃは、水回路７０のうち水熱交換器２６の上流側と水回路ポンプ７２の下流側との間を接続する空調回路７０ｃと、空調回路７０ｃの途中に設けられた室内熱交換器７３と、室内ファン７４と、を有している。室内熱交換器７３は、室内ファン７４からの空気流れを受けることで、ヒートポンプ部７ａが上記冷房運転接続状態の場合には冷風を室内に供給し、ヒートポンプ部７ａが上記暖房運転接続状態の場合には温風を室内に供給する。なお、空調回路７０ｃを流れる水の流量は、水回路ポンプ７２の出力と、床暖房流量調節弁７５の弁開度と、給湯流量調節弁７７の弁開度と、を制御することによって調節される。
【０１１０】
床暖房部７ｄは、水回路７０のうち水熱交換器２６の上流側と水回路ポンプ７２の下流側との間を空調回路７０ｃとは独立して接続する床暖房回路７０ｄと、床暖房回路７０ｄに設けられた床暖房流量調節弁７５と、床暖房流量調節弁７５よりも下流側に設けられた床暖房熱交換器７６と、を有している。床暖房流量調節弁７５は、弁開度が制御されることで、床暖房回路７０ｄを流れる水の流量の調節を行う。床暖房熱交換器７６は、床暖房回路７０ｄの一部であって、対象空間の床裏に配置された部分である。床暖房熱交換器７６に温水が流れることで、当該対象空間の床を暖めることができる。
【０１１１】
給湯部７ｅは、水回路７０のうち水熱交換器２６の上流側と水回路ポンプ７２の下流側との間を空調回路７０ｃとは独立し、床暖房回路７０ｄとも独立して接続する給湯回路７０ｅと、給湯回路７０ｅに設けられた給湯流量調節弁７７と、給湯流量調節弁７７よりも下流側に設けられた給湯熱交換器７８と、を有している。給湯流量調節弁７７は、弁開度が制御されることで、給湯回路７０ｅを流れる水の流量の調節を行う。給湯熱交換器７８は、給湯回路７０ｅの一部であって、後述する貯湯タンク８２の内部空間の下方の位置を通過するように配置された部分である。給湯熱交換器７８に温水が流れることで、貯湯タンク８２の内部下方の比較的温度が低い水を温めることができる。なお、給湯熱交換器７８の内部を流れる水と、貯湯タンク８２の内部の水とは、互いに直接接触することなく、熱交換のみが行われている。
【０１１２】
ここで、貯湯タンク８２は、給湯回路８０に設けられている。給湯回路８０は、市水が貯湯タンク８２の下端に流れ込むように構成された入水管８１と、入水管８１から分岐した連絡管８５と、貯湯タンク８２の上端からお湯を出湯するように伸びだしている出湯管８３と、出湯管８３の途中に貯湯タンク８２からお湯を出湯するように設けられた給湯用ポンプ８４と、連絡管８５を流れる温度の低い水と出湯管８３を流れる温度の高い湯とを混合する混合弁８６と、を有している。
【０１１３】
なお、貯湯タンク８２の内部の上方には、給湯補助ヒータ７９が配置されている。この給湯補助ヒータ７９は、必要に応じて駆動され、貯湯タンク８２の上方に位置する水を加熱する。
【０１１４】
図３に示すセンサ８９は、室外温度を検知するセンサ、室内温度を検知するセンサ、給湯温度を検知するセンサ等の制御に用いられる各種センサをまとめて示している。
【０１１５】
（４）ヒートポンプの動作
ヒートポンプ７の各種動作について、図７、図８、図９、図１０、図１１を参照しながら説明する。
【０１１６】
ヒートポンプ７は、各種設定条件や温度条件に応じて、冷房運転、暖房運転、低外気時暖房運転、給湯運転、および、暖房給湯同時運転等が行われる。
【０１１７】
なお、これらの各運転それぞれについて、通常制御と抑制デマンドレスポンス制御と促進デマンドレスポンス制御とが行われる。すなわち、冷房通常制御、冷房消費抑制デマンドレスポンス制御、冷房消費促進デマンドレスポンス制御、暖房通常制御、暖房消費抑制デマンドレスポンス制御、暖房消費促進デマンドレスポンス制御、低外気時暖房通常制御、低外気時暖房消費抑制デマンドレスポンス制御、低外気時暖房消費促進デマンドレスポンス制御、給湯通常制御、給湯消費抑制デマンドレスポンス制御、給湯消費促進デマンドレスポンス制御、暖房給湯同時通常制御、暖房給湯同時消費抑制デマンドレスポンス制御、および、暖房給湯同時消費促進デマンドレスポンス制御のいずれかが行われる。
【０１１８】
（４−１）冷房運転
冷房運転時には、図７の冷房運転の状態の概略図に示すように、室外熱交換器２３が冷媒の放熱器として機能し、水熱交換器２６が冷媒の蒸発器として機能するように、ヒートポンプコントローラ７ｓが、四路切換弁２２の接続状態を冷房運転接続状態に切り換える。
【０１１９】
また、冷房通常制御を行う場合には、ＨＥＭＳ制御部５２がＨＥＭＳプログラム５４を読み出して実行することで、ヒートポンプコントローラ７ｓに以下の制御を行わせる。すなわち、ヒートポンプコントローラ７ｓは、水回路補助ヒータ７１および給湯補助ヒータ７９をいずれも停止させ、床暖房流量調節弁７５および給湯流量調節弁７７の両方を全閉状態として、圧縮機２１、膨張弁２５、室外ファン２４、水回路ポンプ７２および室内ファン７４を制御する。これにより、室内に冷風を供給することができる。
【０１２０】
冷房消費抑制デマンドレスポンス制御を行う場合には、ＨＥＭＳ制御部５２がＨＥＭＳプログラム５４を読み出して実行することで、ヒートポンプコントローラ７ｓに以下の制御を行わせる。すなわち、ヒートポンプコントローラ７ｓは、水回路補助ヒータ７１および給湯補助ヒータ７９をいずれも停止させ、床暖房流量調節弁７５および給湯流量調節弁７７の両方を全閉状態として、冷房通常制御の設定条件の温度と比べて室内の設定温度が高めに変更されるように、および／または、設定温度に到達させるために必要な時間を長くなるように、ヒートポンプ７を制御する。これにより、単位時間当たりの消費電力量の低減化が図られる。
【０１２１】
冷房消費促進デマンドレスポンス制御を行う場合には、ＨＥＭＳ制御部５２がＨＥＭＳプログラム５４を読み出して実行することで、ヒートポンプコントローラ７ｓに以下の制御を行わせる。すなわち、ヒートポンプコントローラ７ｓは、給湯補助ヒータ７９を停止させ、床暖房流量調節弁７５および給湯流量調節弁７７の両方を全閉状態として、水回路補助ヒータ７１での出力を高めるように、ヒートポンプ７の制御を行う。これにより、水熱交換器２６から室内熱交換器７３に送られる水が、水回路補助ヒータ７１によって加熱されることになる。このため、室内熱交換器７３において室内の負荷を処理して設定温度に到達させようとして、ヒートポンプ部７ａでは、水熱交換器２６における一次冷媒の蒸発温度が低下するように出力を高められる。これにより、室内環境が悪化することなく、設定条件を満足させるため以外の目的で電力を消費することができ、単位時間当たりの消費電力量を増大させることができる。
【０１２２】
（４−２）暖房運転
暖房運転時には、図８の暖房運転の状態の概略図に示すように、室外熱交換器２３が冷媒の蒸発器として機能し、水熱交換器２６が冷媒の放熱器として機能するように、ヒートポンプコントローラ７ｓが、四路切換弁２２の接続状態を暖房運転接続状態に切り換える。
【０１２３】
暖房通常制御を行う場合には、ＨＥＭＳ制御部５２がＨＥＭＳプログラム５４を読み出して実行することで、ヒートポンプコントローラ７ｓに以下の制御を行わせる。すなわち、ヒートポンプコントローラ７ｓは、水回路補助ヒータ７１および給湯補助ヒータ７９をいずれも停止させ、給湯流量調節弁７７を全閉状態とし、圧縮機２１、膨張弁２５、室外ファン２４、水回路ポンプ７２、室内ファン７４、および、床暖房流量調節弁７５を制御する。これにより、室内に温風を供給しつつ、床暖房によって床を暖めることができる。
【０１２４】
暖房消費抑制デマンドレスポンス制御を行う場合には、ＨＥＭＳ制御部５２がＨＥＭＳプログラム５４を読み出して実行することで、ヒートポンプコントローラ７ｓに以下の制御を行わせる。すなわち、ヒートポンプコントローラ７ｓは、水回路補助ヒータ７１および給湯補助ヒータ７９をいずれも停止させ、給湯流量調節弁７７を全閉状態とし、暖房通常制御の設定条件の温度と比べて室内の設定温度を低めに変更されるように、および／または、設定温度に到達させるために必要な時間を長くなるように、ヒートポンプ７を制御する。これにより、単位時間当たりの消費電力量の低減化が図られる。
【０１２５】
暖房消費促進デマンドレスポンス制御を行う場合には、ＨＥＭＳ制御部５２がＨＥＭＳプログラム５４を読み出して実行することで、ヒートポンプコントローラ７ｓに以下の制御を行わせる。すなわち、ヒートポンプコントローラ７ｓは、水回路補助ヒータ７１および給湯補助ヒータ７９をいずれも停止させ、給湯流量調節弁７７を全閉状態とし、ドレンパンヒータ２９への通電を開始させるかもしくはドレンパンヒータ２９における通電量を増大させる。ここで、ドレンパンヒータ２９からの熱でドレンパン２８が暖められたとしても、冷媒回路２０を循環する冷媒の状態にはほとんど変化が生じない。これにより、室内環境が悪化することなく、設定条件を満足させるため以外の目的で電力を消費することができ、単位時間当たりの消費電力量を増大させることができる。
【０１２６】
（４−３）低外気時暖房運転
室外温度センサ８９ａ（センサ８９の１つ）から取得される室外温度が所定の室外温度よりも低い場合には、ヒートポンプコントローラ７ｓは、図９の低外気時暖房運転の状態の概略図に示すように、低外気時暖房運転を行う。
【０１２７】
低外気時暖房運転の際には、暖房運転と同様に、室外熱交換器２３が冷媒の蒸発器として機能し、水熱交換器２６が冷媒の放熱器として機能するように、ヒートポンプコントローラ７ｓが、四路切換弁２２の接続状態を暖房運転接続状態に切り換える。
【０１２８】
低外気時暖房通常制御を行う場合には、ＨＥＭＳ制御部５２がＨＥＭＳプログラム５４を読み出して実行することで、ヒートポンプコントローラ７ｓに以下の制御を行わせる。すなわち、ヒートポンプコントローラ７ｓは、給湯補助ヒータ７９を停止させ、給湯流量調節弁７７を全閉状態とし、圧縮機２１、膨張弁２５、室外ファン２４、水回路ポンプ７２、室内ファン７４、床暖房流量調節弁７５、および、水回路補助ヒータ７１を制御する。このように、水回路補助ヒータ７１への通電を行って発熱させることにより、室外気温が所定の温度よりも低い温度になった状況であっても、室内に温風を供給しつつ、床暖房によって床を暖めることができる。
【０１２９】
低外気時暖房消費抑制デマンドレスポンス制御を行う場合には、ＨＥＭＳ制御部５２がＨＥＭＳプログラム５４を読み出して実行することで、ヒートポンプコントローラ７ｓに以下の制御を行わせる。すなわち、ヒートポンプコントローラ７ｓは、給湯補助ヒータ７９を停止させ、給湯流量調節弁７７を全閉状態とし、低外気時暖房通常制御の設定条件の温度と比べて室内の設定温度を低めに変更されるように、および／または、設定温度に到達させるために必要な時間を長くなるように、ヒートポンプ７を制御する。これにより、単位時間当たりの消費電力量の低減化が図られる。
【０１３０】
低外気時暖房消費促進デマンドレスポンス制御を行う場合には、ＨＥＭＳ制御部５２がＨＥＭＳプログラム５４を読み出して実行することで、ヒートポンプコントローラ７ｓに以下の制御を行わせる。すなわち、ヒートポンプコントローラ７ｓは、給湯補助ヒータ７９を停止させ、給湯流量調節弁７７を全閉状態とし、ドレンパンヒータ２９への通電を開始させるかもしくはドレンパンヒータ２９における通電量を増大させる。ここで、ドレンパンヒータ２９からの熱でドレンパン２８が暖められたとしても、冷媒回路２０を循環する冷媒の状態にはほとんど変化が生じない。これにより、室内環境が悪化することなく、設定条件を満足させるため以外の目的で電力を消費することができ、単位時間当たりの消費電力量を増大させることができる。
【０１３１】
（４−４）給湯運転
ヒートポンプコントローラ７ｓは、図１０の給湯運転の状態の概略図に示すように、所定の時間帯等の給湯条件を満たした場合に、給湯運転を行う。
【０１３２】
給湯運転時には、室外熱交換器２３が冷媒の蒸発器として機能し、水熱交換器２６が冷媒の放熱器として機能するように、ヒートポンプコントローラ７ｓが、四路切換弁２２の接続状態を暖房運転接続状態に切り換える。
【０１３３】
給湯通常制御を行う場合には、ＨＥＭＳ制御部５２がＨＥＭＳプログラム５４を読み出して実行することで、ヒートポンプコントローラ７ｓに以下の制御を行わせる。すなわち、ヒートポンプコントローラ７ｓは、水回路補助ヒータ７１を停止させ、床暖房流量調節弁７５を全閉状態とし、給湯流量調節弁７７を全開状態とし、圧縮機２１、膨張弁２５、室外ファン２４、水回路ポンプ７２、室内ファン７４、および、給湯補助ヒータ７９を制御する。これにより、貯湯タンク８２の下方についてはヒートポンプ７の熱で水を温め、貯湯タンク８２の上方については給湯補助ヒータ７９でお湯を生じさせることができる。
【０１３４】
給湯消費抑制デマンドレスポンス制御を行う場合には、ＨＥＭＳ制御部５２がＨＥＭＳプログラム５４を読み出して実行することで、ヒートポンプコントローラ７ｓに以下の制御を行わせる。すなわち、ヒートポンプコントローラ７ｓは、水回路補助ヒータ７１を停止させ、床暖房流量調節弁７５を全閉状態とし、給湯流量調節弁７７を全開状態とし、給湯補助ヒータ７９を発熱させつつ、給湯通常制御で沸き上げに費やす時間よりも沸き上げ終了までに長い時間が費やされるように、ヒートポンプ７を制御する。これにより、単位時間当たりの消費電力量の低減化が図られる。
【０１３５】
給湯消費促進デマンドレスポンス制御を行う場合には、ＨＥＭＳ制御部５２がＨＥＭＳプログラム５４を読み出して実行することで、ヒートポンプコントローラ７ｓに以下の制御を行わせる。すなわち、ヒートポンプコントローラ７ｓは、水回路補助ヒータ７１を停止させ、床暖房流量調節弁７５を全閉状態とし、給湯流量調節弁７７を全開状態とし、給湯補助ヒータ７９を発熱させつつ、給湯通常制御で沸き上げに費やされる時間よりも短い時間で沸き上げを終了させることができるように、ヒートポンプ７を制御する。これにより、設定条件を満足させる目的で消費する電力を増大させて、単位時間当たりの消費電力量を増大させることができる。
【０１３６】
（４−５）暖房給湯同時運転
貯湯温度センサ８９ｂ（センサ８９の１つ）から取得される温度が所定の貯湯温度よりも低い場合には、ヒートポンプコントローラ７ｓは、図１１の暖房給湯同時運転の状態の概略図に示すように、暖房給湯同時運転を行う。
【０１３７】
暖房給湯同時運転時には、室外熱交換器２３が冷媒の蒸発器として機能し、水熱交換器２６が冷媒の放熱器として機能するように、ヒートポンプコントローラ７ｓが、四路切換弁２２の接続状態を暖房運転接続状態に切り換える。
【０１３８】
暖房給湯同時通常制御を行う場合には、ＨＥＭＳ制御部５２がＨＥＭＳプログラム５４を読み出して実行することで、ヒートポンプコントローラ７ｓに以下の制御を行わせる。すなわち、ヒートポンプコントローラ７ｓは、水回路補助ヒータ７１を停止させ、圧縮機２１、膨張弁２５、室外ファン２４、水回路ポンプ７２、床暖房流量調節弁７５、給湯流量調節弁７７、室内ファン７４、および、給湯補助ヒータ７９を制御する。これにより、貯湯タンク８２の下方についてはヒートポンプ７の熱で水を温めることができ、貯湯タンク８２の上方については給湯補助ヒータ７９でお湯を生じさせることができると同時に、室内を暖めることができる。
【０１３９】
暖房給湯同時消費抑制デマンドレスポンス制御を行う場合には、ＨＥＭＳ制御部５２がＨＥＭＳプログラム５４を読み出して実行することで、ヒートポンプコントローラ７ｓに以下の制御を行わせる。すなわち、ヒートポンプコントローラ７ｓは、水回路補助ヒータ７１を停止させて給湯補助ヒータ７９への通電を行いながら、暖房給湯同時通常制御で沸き上げに費やす時間よりも長い時間が費やされるように、および／または、暖房給湯同時通常制御の設定条件の温度と比べて室内の設定温度を低めに変更するか設定温度に到達するまでの時間が長くなるように、ヒートポンプ７の制御を行う。これにより、単位時間当たりの消費電力量の低減化が図られる。
【０１４０】
暖房給湯同時消費促進デマンドレスポンス制御を行う場合には、ＨＥＭＳ制御部５２がＨＥＭＳプログラム５４を読み出して実行することで、ヒートポンプコントローラ７ｓに以下の制御を行わせる。すなわち、ヒートポンプコントローラ７ｓは、水回路補助ヒータ７１を停止させて給湯補助ヒータ７９への通電を行いながら、暖房給湯同時通常制御で沸き上げに費やす時間を短くするように、および／または、ドレンパンヒータ２９への通電を開始させるかもしくはドレンパンヒータ２９における通電量を増大させる。このように暖房給湯同時通常制御で沸き上げに費やす時間を短くさせる場合には、室内環境が悪化することなく、設定条件を満足させるため消費する電力を増大させて、単位時間当たりの消費電力量を増大させることができる。また、ドレンパンヒータ２９への通電を開始もしくは通電量を増大させる場合には、室内環境が悪化することなく、設定条件を満足させるため以外の目的で電力を消費することができ、単位時間当たりの消費電力量を増大させることができる。また、暖房給湯同時通常制御で沸き上げに費やす時間を短くさせつつドレンパンヒータ２９への通電を開始もしくは通電量を増大させる場合には、設定条件を満足させる目的およびそれ以外の目的の両方で消費する電力を増大させて、単位時間当たりの消費電力量を増大させることができる。
【０１４１】
（５）消費電力量の調整要求に対する制御処理のフローチャート
以下、ＨＥＭＳコントローラ５のＨＥＭＳ制御部５２が、ＨＥＭＳプログラム５４を実行して行う消費電力量の調整要求に対する制御処理の流れについて、図１２を参照しながら説明する。なお、ここでは、例として、通常制御（冷房通常制御、暖房通常制御、低外気時暖房通常制御、給湯通常制御、暖房給湯同時通常制御のいずれか）が行われている状態で消費電力量の調整要求を受け付ける場合を例に挙げて説明する。
【０１４２】
ステップＳ１１では、ＨＥＭＳコントローラ５のＨＥＭＳ制御部５２は、ＨＥＭＳ入力部５５を介して需要家が入力した受け入れ可否情報３３ａが、ＨＥＭＳ記憶部５３に格納されることで、受け付けられているか否か判断する。ここで、受け入れ可否情報３３ａが受け付けられている場合には、ステップＳ１２に移行する。なお、ここで、ＨＥＭＳ制御部５２は、受け付けた受け入れ可否情報３３ａを、ゲートウェイ４および通信ネットワーク２を介して、アグリゲータ３に送信する。
【０１４３】
ステップＳ１２では、ＨＥＭＳ制御部５２は、通信ネットワーク２を介して消費電力量の調整要求の指示を受信しているか否か判断する。ここで、受信していない場合には、ステップＳ１１に戻る。受信していた場合には、ステップＳ１３に移行する。
【０１４４】
ステップＳ１３では、ＨＥＭＳ制御部５２は、ステップＳ１２において受信していた消費電力量の調整要求の日時と、ＨＥＭＳ記憶部５３に格納されている受け入れ可否情報３３ａと、を比較することで、受信した消費電力量の調整要求の期間が、受け入れを許容している期間か否かを判断する。ここで、受け入れを許容していない期間であった場合には、ステップＳ１４に移行する。受け入れを許容している期間であった場合には、ステップＳ１５に移行する。
【０１４５】
ステップＳ１４では、ＨＥＭＳ制御部５２は、ヒートポンプ７の通常制御を継続させつつ、ステップＳ１１に戻る。
【０１４６】
ステップＳ１５では、ＨＥＭＳ制御部５２は、ステップＳ１２において受信していた消費電力量の調整要求が、電力消費促進信号による要求であるか否か判断する。電力消費促進信号による要求であったと判断した場合には、ステップＳ１６に移行する。電力消費促進信号による要求でなかったと判断した場合には、ＨＥＭＳ制御部５２は、当該消費電力量の調整要求が電力消費抑制信号による要求であると判断して、ステップＳ１８に移行する。
【０１４７】
ステップＳ１６では、ＨＥＭＳ制御部５２は、単位時間当たりの消費電力量を増大させた促進デマンドレスポンス制御（通常制御に対応する制御）を実行して、ヒートポンプ７の制御を開始し、ステップＳ１７に移行する。
【０１４８】
ステップＳ１７では、ＨＥＭＳ制御部５２は、促進期間が経過しているか否か判断する。経過している場合には、ステップＳ２０に移行する。
【０１４９】
ステップＳ１８では、ＨＥＭＳ制御部５２は、単位時間当たりの消費電力量を小さく抑える抑制デマンドレスポンス制御（通常制御に対応する制御）を実行して、ヒートポンプ７の制御を開始し、ステップＳ１９に移行する。
【０１５０】
ステップＳ１９では、ＨＥＭＳ制御部５２は、抑制期間が経過しているか否か判断する。経過している場合には、ステップＳ２０に移行する。
【０１５１】
ステップＳ２０では、ＨＥＭＳ制御部５２は、促進デマンドレスポンス制御が行われていた場合には当該制御を終了させ、抑制デマンドレスポンス制御が行われていた場合には当該制御を終了させ、対応する通常制御を開始させる。そして、ＨＥＭＳ制御部５２は、ステップＳ１１に戻って以上の処理を繰り返す。
【０１５２】
（６）本実施形態の特徴
上記実施形態に係るエネルギ管理システム１００では、一時的に供給過多となった電力を、積極的に消費することができ、過剰な電力供給によってエネルギ管理システム１００の各要素に生じうる不具合を、蓄電池設備などを用いることなく回避することができる。特に、電力会社１の発電設備が、太陽光発電や風力発電等の発電量のコントロールが困難な自然エネルギ発電である場合であって、発電が一時的に過剰に行われた場合であっても、過剰に供給される電力を吸収することが可能になっている。
【０１５３】
（７）変形例
（７−１）変形例Ａ
上記実施形態では、ＨＥＭＳプログラム５４が、予め、ＨＥＭＳコントローラ５のＲＯＭ等に格納されている場合を例に挙げて説明した。
【０１５４】
ＨＥＭＳコントローラ５としては、これに限られるものではなく、例えば、図１３に示すように、上述したＨＥＭＳプログラム５４が一時的でなく格納されている記録媒体１５４を介して、このようなプログラムが格納されていなかったＨＥＭＳコントローラ５に対してインストールさせるようにしてもよい。
【０１５５】
また、ＨＥＭＳプログラム５４は、通信ネットワーク２を介してダウンロード可能に接続された任意の場所に格納されていてもよい。すなわち、このようなＨＥＭＳプログラム５４が格納されていなかったＨＥＭＳコントローラに、通信ネットワーク２を介してＨＥＭＳプログラム５４をダウンロードさせ、インストールさせるようにしてもよい。
【０１５６】
（７−２）変形例Ｂ
上記実施形態では、電力会社１からの消費電力量の調整要求のうち、消費電力量を大きくするように要求する信号（電力消費促進信号）を受信したＨＥＭＳコントローラ５による制御を例に挙げて説明した。
【０１５７】
これに対して、例えば、ＨＥＭＳコントローラ５が受信する信号としては、消費電力量を大きくするように要求する信号に限られるものではなく、例えば、電力の単価を促進期間の間下げる信号や、使用電力量の上限を促進期間の間上げさせる信号等のように、消費電力の促進を間接的に示す信号であってもよい。この場合であっても、上記実施形態と同様の効果が得られる。
【０１５８】
（７−３）変形例Ｃ
上記実施形態では、促進デマンドレスポンス制御の例として、ドレンパンヒータ２９の発熱量を上げる制御や、水熱交換器２６で冷却した水を水回路補助ヒータ７１で加熱する制御等を例に挙げて説明した。
【０１５９】
これに対して、例えば、圧縮機２１が駆動しておらずヒートポンプ７の運転が停止している際に、消費電力量を大きくするように要求する信号（電力消費促進信号）を受信した場合には、ＨＥＭＳ制御部５２は、圧縮機２１の通電箇所を変更する制御を行って単位時間当たりの消費電力量を増大させてもよい。
【０１６０】
具体的には、例えば、三相交流電流によって駆動される圧縮機２１において、圧縮機２１の運転停止時に消費電力量を大きくするように要求する信号（電力消費促進信号）を受信した場合には、ＨＥＭＳ制御部５２は、三相のうちの一相を欠相させ、他の二相が電気抵抗となるように通電して発熱させることで、単位時間当たりの消費電力量を増大させてもよい。
【０１６１】
（７−４）変形例Ｄ
上記実施形態では、促進デマンドレスポンス制御の例として、ドレンパンヒータ２９の発熱量を上げる制御や、水熱交換器２６で冷却した水を水回路補助ヒータ７１で加熱する制御等を例に挙げて説明した。
【０１６２】
これに対して、例えば、室外ファン２４が駆動していない状態で、消費電力量を大きくするように要求する信号（電力消費促進信号）を受信した場合には、ＨＥＭＳ制御部５２は、室外ファン２４の回転数を増大させて風量を高める制御を行って単位時間当たりの消費電力量を増大させてもよい。
【０１６３】
また、例えば、室外ファン２４が駆動している状態で、消費電力量を大きくするように要求する信号（電力消費促進信号）を受信した場合であっても、ＨＥＭＳ制御部５２は、室外ファン２４の回転数をさらに増大させて風量を高める制御を行って単位時間当たりの消費電力量を増大させてもよい。
【０１６４】
なお、冷媒回路２０において冷媒が循環していない状況であれば、室外ファン２４の駆動を開始させる制御が行われたとしても、冷媒回路２０における冷媒の状態に特に変化を生じさせず、室内等の空調対象空間等の環境を悪化させることなく一時的に消費電力量を増大させることができる。
【０１６５】
また、冷媒回路２０において冷媒が循環している状況において室外ファン２４の回転数をさらに増大させる制御を行ったとしても、空調対象空間等に向けて直接的に吹き出す空気流れの風量が増大することにはならないため、室内等の空調対象空間等の環境を大きく悪化させることなく一時的に消費電力量を増大させることができる。
【０１６６】
（７−５）変形例Ｅ
上記実施形態では、促進デマンドレスポンス制御の例として、ドレンパンヒータ２９の発熱量を上げる制御や、水熱交換器２６で冷却した水を水回路補助ヒータ７１で加熱する制御等を例に挙げて説明した。
【０１６７】
これに対して、例えば、クランクケースヒータ２１ａへの通電が行われていない状態で、消費電力量を大きくするように要求する信号（電力消費促進信号）を受信した場合には、ＨＥＭＳ制御部５２は、クランクケースヒータ２１ａへの通電を開始させる制御を行って単位時間当たりの消費電力量を増大させてもよい。
【０１６８】
また、例えば、クランクケースヒータ２１ａへの通電が行われている状態で、消費電力量を大きくするように要求する信号（電力消費促進信号）を受信した場合であっても、ＨＥＭＳ制御部５２は、クランクケースヒータ２１ａへの通電量をさらに増大させる制御を行って単位時間当たりの消費電力量を増大させてもよい。
【０１６９】
なお、冷媒回路２０において冷媒が循環していない状況であれば、クランクケースヒータ２１ａへの通電を開始する制御が行われたとしても、冷媒回路２０における冷媒の状態に特に変化を生じさせず、室内等の空調対象空間等の環境を悪化させることなく一時的に消費電力量を増大させることができる。
【０１７０】
また、冷媒回路２０において冷媒が循環している状況においてクランクケースヒータ２１ａへの通電量をさらに増大させる制御を行ったとしても、冷媒回路２０を流れる冷媒の状態に大きな変化は生じにくいため、室内等の空調対象空間等の環境を大きく悪化させることなく一時的に消費電力量を増大させることができる。
【０１７１】
（７−６）変形例Ｆ
上記実施形態では、消費電力量の調整要求に対して応じるか否かの２択の予定を提示する場合を例に挙げて説明した。
【０１７２】
これに対して、例えば、電力会社１等から発信される消費電力量の調整要求に対して、単に応じるか否かの２択ではなく、受け入れ可否情報３３ａには、応じるか否かの情報および応じるのであれば複数のレベルのうちのどのレベルで応じるのかが特定された情報が含まれているようにしてもよい。
【０１７３】
すなわち、いずれも消費電力量の調整要求に応じる予定ではあるが、特定の日時に消費電力量の調整要求に応じる程度と、他の特定の日時に消費電力量の調整要求に応じる程度と、が異なるように予定を組むようにしてもよい。この場合には、例えば、ヒートポンプ７の制御方式が、通常制御と抑制デマンドレスポンス制御と促進デマンドレスポンス制御の３択ではなく、抑制デマンドレスポンス制御および促進デマンドレスポンス制御がさらに単位時間当たりの消費電力量のレベル毎に複数種類に分けられていてもよい。
【符号の説明】
【０１７４】
３  アグリゲータ
４  ゲートウェイ
５  ＨＥＭＳコントローラ（冷凍装置のコントローラ）
６  スマートメータ
７  ヒートポンプ（冷凍装置）
７ｓ  ヒートポンプコントローラ（制御部）
８  電化製品
１０  集中管理システム
２０  冷媒回路（第１回路）
２１  圧縮機（圧縮機構）
２２  四路切換弁
２３  室外熱交換器（放熱器、蒸発器）
２４  室外ファン
２５  膨張弁（膨張機構）
２６  水熱交換器（蒸発器、放熱器）
２７  室外機ケーシング（筐体）
２８  ドレンパン
２９  ドレンパンヒータ
２９ａ  蓄熱体
３１  アグリゲータ通信部
３２  アグリゲータ制御部
３３  アグリゲータ記憶部
３３ａ  受け入れ可否情報
４１  ゲートウェイ通信部
４２  変換部
５１  ＨＥＭＳ通信部
５２  ＨＥＭＳ制御部（制御部）
５３  ＨＥＭＳ記憶部
５４  ＨＥＭＳプログラム（プログラム）
５５  ＨＥＭＳ入力部
５６  ＨＥＭＳ出力部
７０  水回路（第２回路）
７０ｃ  空調回路
７０ｄ  床暖房回路
７０ｅ  給湯回路
７１  水回路補助ヒータ（二次ヒータ）
７２  水回路ポンプ
７３  室内熱交換器（熱負荷が生じている場所）
７４  室内ファン
７５  床暖房流量調節弁
７６  床暖房熱交換器
７７  給湯流量調節弁
７８  給湯熱交換器
７９  給湯補助ヒータ
８０  給湯回路
８１  入水管
８２  貯湯タンク
８３  出湯管
８４  給湯ポンプ
８５  連絡管
８６  混合弁
１００  エネルギ管理システム
１５４  記録媒体
【先行技術文献】
【特許文献】
【０１７５】
【特許文献１】特開平１０−３０８３４号公報
【図１】
2014126236.tif 000003
【図２】
2014126236.tif 000004
【図３】
2014126236.tif 000005
【図４】
2014126236.tif 000006
【図５】
2014126236.tif 000007
【図６】
2014126236.tif 000008
【図７】
2014126236.tif 000009
【図８】
2014126236.tif 000010
【図９】
2014126236.tif 000011
【図１０】
2014126236.tif 000012
【図１１】
2014126236.tif 000013
【図１２】
2014126236.tif 000014
【図１３】
2014126236.tif 000015